(57)【要約】【課題】鏡フレームの一部が撓む、或いは鏡に対して捲れる等が生ぜず、直線性を確保するのに十分な強度を有しながらも意匠性を損なうことのない安価な樹脂製の鏡フレームを提供する。【解決手段】鏡が取設される壁面と該鏡の下側を掛止する鏡取付材の背面との間に挟装され、該鏡取付材と同時に上記壁面にビス止めされる固定部と、該固定部下端が上記鏡側へ９０度折曲され延出する底部と、該底部前端から上方へ９０度折曲されて鏡表面下縁を掩蔽する見え掛り部と、該見え掛り部中段から壁面側へ水平に延出し、上記鏡取付材の鏡載置部の裏面と当接する載置部と、上記見え掛り部の上端が１８０度前記鏡表面側へ折り返され、上記見え掛り部裏面との間に上記鏡取付材前面の鏡を掛止する掛止部を挟入可能な折り返しとを有する鏡フレームを備える。【選択図】  図３
2006094939.tif 000002
【特許請求の範囲】
【請求項１】
鏡が取設される壁面に当接可能に形成された固定部と、
該固定部下端が上記鏡側へ９０度折曲され、上記鏡の下側を掛止する鏡取付材が載置される載置部と、
該載置部前端から上方へ９０度折曲されて上記鏡表面下縁を掩蔽する見え掛り部と、
該見え掛り部の上端が１８０度前記鏡表面側へ折り返され、上記見え掛り部裏面との間に上記鏡取付材前面の鏡を掛止する掛止部を挟入可能な折り返しと、
を備えることを特徴とする鏡フレーム。
【請求項２】
鏡が取設される壁面に当接可能に形成された固定部と、
該固定部下端が上記鏡側へ９０度折曲され延出する底部と、
該底部前端から上方へ９０度折曲されて上記鏡表面下縁を掩蔽する見え掛り部と、
該見え掛り部中段から壁面側へ水平に延出し、上記鏡の下側を掛止する鏡取付材が載置される載置部と、
上記見え掛り部の上端が１８０度前記鏡表面側へ折り返され、上記見え掛り部裏面との間に上記鏡取付材前面の鏡を掛止する掛止部を挟入可能な折り返しと、
を備えることを特徴とする鏡フレーム。
【請求項３】
鏡が取設される壁面と該鏡の下側を掛止する鏡取付材の背面との間に挟装され、該鏡取付材と同時に上記壁面にビス止めされる固定部と、
該固定部下端が上記鏡側へ９０度折曲され上記鏡取付材の鏡載置部の裏面と当接する載置部と、
該載置部前端から上方へ９０度折曲されて鏡表面下縁を掩蔽する見え掛り部と、
該見え掛り部の上端が１８０度前記鏡表面側へ折り返され、上記見え掛り部裏面との間に上記鏡取付材前面の鏡を掛止する掛止部を挟入可能な折り返しと、
を有する鏡フレームを備えることを特徴とする鏡フレーム取付構造。
【請求項４】
鏡が取設される壁面と該鏡の下側を掛止する鏡取付材の背面との間に挟装され、該鏡取付材と同時に上記壁面にビス止めされる固定部と、
該固定部下端が上記鏡側へ９０度折曲され延出する底部と、
該底部前端から上方へ９０度折曲されて鏡表面下縁を掩蔽する見え掛り部と、
該見え掛り部中段から壁面側へ水平に延出し、上記鏡取付材の鏡載置部の裏面と当接する載置部と、
上記見え掛り部の上端が１８０度前記鏡表面側へ折り返され、上記見え掛り部裏面との間に上記鏡取付材前面の鏡を掛止する掛止部を挟入可能な折り返しと、
を有する鏡フレームを備えることを特徴とする鏡フレーム取付構造。
【請求項５】
前記固定部は、前記一の鏡取付材と隣接する鏡取付材との中間においても前記壁面にビス止め可能なことを特徴とする請求項３及び４のいずれかに記載の鏡フレーム取付構造。
【請求項６】
鏡表面の上縁を掩蔽する見え掛り部と、
該見え掛り部上端近傍から上記鏡が取設される壁面側へ水平に延出し上記鏡上縁に載置される頂部と、
該頂部の先端から下方へ垂下して上記鏡裏面と当接し、上記見え掛り部と協働して鏡上縁を挟持する掛止部と、
上記頂部の、上記鏡の上側を掛止する鏡取付材が配設される位置に設けられ、該鏡取付材前面の鏡掛止部が挿通可能なスリットと、
を備えることを特徴とする鏡フレーム。
【請求項７】
前記見え掛り部は、上端から延出し、前記頂部上を掩蔽する目地材を掛合可能な掛合部を備えることを特徴とする請求項４記載の鏡フレーム。
【請求項８】
壁面に取付け固定されるインナーと、該インナーに設けられたガイド部により上下方向に摺動可能に案内されるレール部と該レール部上端から水平に延出する鏡取付材頂部と該鏡取付材頂部先端より垂下して上記鏡を保持する鏡掛止部とを有するアウターと、上記インナー及び上記アウター間に設けられ下方向に上記アウターを弾性的に保持するように付勢する線バネとを具備する鏡取付材と、
壁面に取設される鏡の上縁に載置され、該鏡表面の上縁を掩蔽する見え掛り部と、該見え掛り部上端近傍から上記鏡が取設される壁面側へ水平に延出し上記鏡上縁に載置される頂部と、該頂部の先端から下方へ垂下して上記鏡裏面と当接し、上記見え掛り部と協働して鏡上縁を挟持する掛止部と、上記頂部の、上記鏡取付材が配設される位置に設けられ、該鏡取付材前面の上記鏡掛止部が挿通可能なスリットとを備える鏡フレームと、
を備え、
上記鏡掛止部は、上記鏡フレーム上方から上記スリットを挿通して上記鏡表面に当接し上記鏡を掛止し、
上記取付材頂部は、上記鏡フレームの頂部を上から圧接することを特徴とする鏡フレーム取付構造。
【請求項９】
前記見え掛り部はさらに、上端から延出し、前記頂部上を掩蔽する目地材を掛合可能な掛合部を有し、
上記見え掛り部裏面及び上記壁面は、上記目地材により相互に離隔する方向に押圧されることを特徴とする請求項８記載の鏡フレーム取付構造。
【発明の詳細な説明】
【技術分野】
【０００１】
本発明は、壁面に取り付けられる鏡の上縁及び下縁を縁取る鏡フレームに係り、特に樹脂系の材料により形成された鏡フレームに関する。また、本発明は、斯かる鏡フレームを備える鏡の取付構造に関する。
【背景技術】
【０００２】
一般住宅の浴室や洗面台、或いは公共施設の洗面室の壁面に取り付けられる鏡は、一般に、断面が略Ｊ字状の金属製の取付材を鏡の上下に複数配置して、鏡下側の取付材上に鏡を載置して荷重を受けさせると同時に、設けられた縦長孔を通してビス止めされた鏡上側の取付材を、この取付ビスに対して下方にスライドさせることにより掛止保持される。
【０００３】
この取付構造は、この取付材を意匠として露出させるタイプと、この取付材及び鏡上下の縁部を長尺の化粧フレームで掩蔽するタイプのものに分けられる（例えば、特許文献１参照。）。この化粧フレームは、通常アルマイト加工されたアルミ等の金属製の部材で形成される。
【特許文献１】特開平１０−１７９３５３号公報
【発明の開示】
【発明が解決しようとする課題】
【０００４】
ところで、金属製の化粧フレームは高価なので、これを樹脂製のものに置き換えることによってコストの節減を図りたいという要求がある。しかしながら、樹脂製のものは、金属製のものと比べて強度が弱く、例えば、鏡面清掃中や鏡周囲の壁面清掃中に雑巾等が縁部のフレームに引っ掛かると、撓んだり鏡表面から捲れたりする等の問題が生じる。これを回避すべく部材厚を大きくすると全体に武骨になって意匠性が損なわれる虞がある。
【０００５】
また、鏡清掃時や鏡周囲の室壁清掃時の雑巾等の引っ掛かりの外、ドアの開閉等の振動によって上側の取付材が徐々にズレ上がり、鏡上端から外れて鏡が落下破損する問題がある。鏡フレームはその摩擦力によってこのズレ上がりを低減する機能も備えるものであるが、樹脂製の鏡フレームは、金属製のものと比べて摩擦係数が小さいため、滑り易くなってしまうという問題もある。
【０００６】
本発明は、上述した事情を考慮してなされたもので、鏡フレームの一部が撓む、或いは鏡に対して捲れる等が生ぜず、直線性を確保するのに十分な強度を有しながらも意匠性を損なうことのない安価な樹脂製の鏡フレームを提供することを目的とするものである。
【０００７】
本発明の他の目的は、樹脂製でありながら上側の取付材のズレ上がり防止に役立つ鏡フレームを提供することにある。
【課題を解決するための手段】
【０００８】
本発明に係る鏡フレームは、上述した課題を解決するために、請求項１に記載したように、鏡が取設される壁面に当接可能に形成された固定部と、該固定部下端が上記鏡側へ９０度折曲され、上記鏡の下側を掛止する鏡取付材が載置される載置部と、該載置部前端から上方へ９０度折曲されて上記鏡表面下縁を掩蔽する見え掛り部と、該見え掛り部の上端が１８０度前記鏡表面側へ折り返され、上記見え掛り部裏面との間に上記鏡取付材前面の鏡を掛止する掛止部を挟入可能な折り返しとを備えるものである。
【０００９】
上記鏡フレームは、好適には、請求項２に記載したように、上記載置部が、上記固定部下端が上記鏡側へ９０度折曲され延出する底部と、上記見え掛り部中段から壁面側へ水平に延出し、上記鏡の下側を掛止する鏡取付材が載置される載置部との別構成とされることが望ましい。
【００１０】
次に、上述した課題を解決するために、請求項３に係る鏡フレーム取付構造は、鏡が取設される壁面と該鏡の下側を掛止する鏡取付材の背面との間に挟装され、該鏡取付材と同時に上記壁面にビス止めされる固定部と、該固定部下端が上記鏡側へ９０度折曲され上記鏡取付材の鏡載置部の裏面と当接する載置部と、該載置部前端から上方へ９０度折曲されて鏡表面下縁を掩蔽する見え掛り部と、該見え掛り部の上端が１８０度前記鏡表面側へ折り返され、上記見え掛り部裏面との間に上記鏡取付材前面の鏡を掛止する掛止部を挟入可能な折り返しとを有する鏡フレームを備えるものである。
【００１１】
上記鏡フレーム取付構造は、好適には、請求項４に記載したように、上記載置部が、上記固定部下端が上記鏡側へ９０度折曲され延出する底部と、上記見え掛り部中段から壁面側へ水平に延出し、上記鏡取付材の鏡載置部の裏面と当接する載置部との別構成とされることが望ましい。
【００１２】
また、前記固定部は、請求項５に記載したように、前記一の鏡取付材と隣接する鏡取付材との中間においても前記壁面にビス止め可能とすることができる。
【００１３】
一方、上述した課題を解決するために、請求項６に係る鏡フレームは、鏡表面の上縁を掩蔽する見え掛り部と、該見え掛り部上端近傍から上記鏡が取設される壁面側へ水平に延出し上記鏡上縁に載置される頂部と、該頂部の先端から下方へ垂下して上記鏡裏面と当接し、上記見え掛り部と協働して鏡上縁を挟持する掛止部と、上記頂部の、上記鏡の上側を掛止する鏡取付材が配設される位置に設けられ、該鏡取付材前面の鏡掛止部が挿通可能なスリットとを備えるものである。
【００１４】
前記見え掛り部は、請求項７に記載したように、上端から延出し、前記頂部上を掩蔽する目地材を掛合可能な掛合部を備えるようにしてもよい。
【００１５】
そして、上述した課題を解決するために、請求項８に係る鏡フレーム取付構造は、壁面に取付け固定されるインナーと、該インナーに設けられたガイド部により上下方向に摺動可能に案内されるレール部と該レール部上端から水平に延出する鏡取付材頂部と該鏡取付材頂部先端より垂下して上記鏡を保持する鏡掛止部とを有するアウターと、上記インナー及び上記アウター間に設けられ下方向に上記アウターを弾性的に保持するように付勢する線バネとを具備する鏡取付材と、壁面に取設される鏡の上縁に載置され、該鏡表面の上縁を掩蔽する見え掛り部と、該見え掛り部上端近傍から上記鏡が取設される壁面側へ水平に延出し上記鏡上縁に載置される頂部と、該頂部の先端から下方へ垂下して上記鏡裏面と当接し、上記見え掛り部と協働して鏡上縁を挟持する掛止部と、上記頂部の、上記鏡取付材が配設される位置に設けられ、該鏡取付材前面の上記鏡掛止部が挿通可能なスリットとを備える鏡フレームとを備え、上記鏡掛止部は、上記鏡フレーム上方から上記スリットを挿通して上記鏡表面に当接し上記鏡を掛止し、上記取付材頂部は、上記鏡フレームの頂部を上から圧接するものである。
【００１６】
前記見え掛り部は、好適には、請求項９に記載したように、さらに、上端から延出し、前記頂部上を掩蔽する目地材を掛合可能な掛合部を有し、上記見え掛り部裏面及び上記壁面は、上記目地材により相互に離隔する方向に押圧される構成としてもよい。
【発明の効果】
【００１７】
本発明に係る鏡フレームによれば、鏡フレームの一部が撓む、或いは鏡に対して捲れる等が生ぜず、直線性を確保するのに十分な強度を有しながらも意匠性を損なうことのない安価な樹脂製の鏡フレームを提供することができる。
【００１８】
また、本発明は、樹脂製でありながら上側の取付材のズレ上がり防止に役立つ鏡フレームが得られる効果がある。
【発明を実施するための最良の形態】
【００１９】
本発明に係る鏡フレームの実施形態について、添付図面を参照して説明する。図１は、本発明に係る鏡フレームを備えるシステムバス１の概略を示すものである。
【００２０】
同図に示すように、システムバス１は、床２と壁面３と浴槽４と天井５とから構成される。そして、一の壁面３には、洗い場水栓６及びシャワー７が取設されたアッパーカウンタ８と、その下には洗面器等を載置するロアーカウンタ９とが設けられ、アッパーカウンタ８上には、上下を下フレーム１３及び上フレーム１４に縁取られた鏡１０が取り付られる。また、本実施形態におけるシステムバス１には、照明器具が内接された鏡１０上部のウォールキャビネット１１と、シャンプーボトル等を収納する鏡６側部のサイドキャビネット１２とが一体に形成されている。
【００２１】
図２は、この鏡１０の取付構成を示す正面図であり、図３は、図２中のＡ−Ａ方向を見た断面図である。図２及び図３に示すように、鏡１０は、その下端において取付ビス２０により一定間隔にビス止めされた複数の下取付材１５上に載置されてその荷重が支持され、鏡１０の下縁は、その全長に亘って下フレーム１３によって掩蔽される。また、下フレーム１３の下取付材１５，１５の中間部分も取付ビス２０により直接壁面３にビス止めされる。
【００２２】
一方、鏡１０の上縁は、取付ビス２０により一定間隔にビス止めされた複数の上取付材１６に掛止保持され、鏡１０の上縁の全長に亘って上フレーム１４によって掩蔽される。また、上フレーム１４上には目地材２１が掛合されて、水滴が鏡１０の裏面に入り込むことを防止する。
【００２３】
下取付材１５は、ステンレス鋼等の金属板を折曲して形成され、図４に示すように、壁面３に固定する固定部１５ａと、固定部１５ａ下端が９０度折曲された上に鏡１０が載置される載置部１５ｂと、載置部１５ｂ前端から上方へ９０度折曲されて鏡１０の脱落を防止する掛止部１５ｃとを備える。固定部１５ａには、下取付材１５を壁面３にビス止めする取付ビス２０を挿通させるビス孔１５ｈが穿設されている。
【００２４】
また、固定部１５ａ上部両側には、鏡１０裏面側へ突出する鏡当接部１５ｄが設けられる。この鏡当接部１５ｄは弾性を有するので、鏡１０を取り付けたときに壁面側へ押圧されると、その反動で鏡１０の裏面を前方に押圧するように付勢する。これにより、鏡１０と下フレーム１３との間に隙間が生じることを防止するとともに、鏡１０の裏面と壁面３との間に水が滞留しないで流れ落ちる隙間が確保される。
【００２５】
また、取り付けた鏡１０が横方向にずれないように、鏡当接部１５ｄの端部には、塩ビ等の軟質樹脂材等がコーティングされたコーティング部１５ｆが設けられる。同様に、固定部１５ａの端部にも軟質樹脂材等がコーティングされたコーティング部１５ｅが設けられ、この摩擦力により、下取付材１５が壁面３に取り付けたときに回転するのを防止する。なお、このコーティング部１５ｅが固定部１５ａより外れないように、固定部１５ａに孔１５ｇを設けておき、その孔１５ｇに樹脂が流れ込んで表裏一体に連結している。
【００２６】
下フレーム１３は、ポリプロピレン等の樹脂材から成形され、その縦断面は、図５に示すように、壁面３に当接して固定される固定部１３ａと、固定部１３下端が９０度折曲された底部１３ｂと、底部１３ｂ前端から上方へ９０度折曲されてシステムバス１から見える見え掛り部１３ｃと、見え掛り部１３ｃの先端が１８０度内側へ折り返された折り返し１３ｄと、見え掛り部１３ｃ中段やや下方から壁面側へ水平に延出する載置部１３ｅとを備える。底部１３ｂには鏡１０裏面と壁面３との間を流れ落ちた水が滞留している虞があり、そこに鏡１０を載置すれば水が付着して錆びが発生するので、別途載置部１３ｅが設けられる。
【００２７】
下取付材１５は、壁面３への取付前に、その掛止部１５ｅが下フレーム１３の見え掛り部１３ｃと折り返し部１３ｄとの間に嵌挿されるとともに、下取付材１５の載置部１５ｂが下フレーム１３の載置部１３ｅ上に載置されて、一体に組み合わされる（図３参照。）。そして、下フレーム１３の固定部１３ａは、下取付材１５の固定部１３ａとともに壁面３に取付ビス２０によりビス止めされる。また、下フレーム１３の固定部１３ａは、一の下取付材１５と隣接する下取付材１５との中間部分においても壁面３に取付ビス２０によりビス止めされる。
【００２８】
これにより、下取付材１５の前面においては、見え掛り部１３ｃが上方に浮き上がったり、下方に垂れ下がったりすることがない。また、下取付材１５がない部分においても、見え掛り部１３ｃの上下方向の撓みは小さく抑えられ、特に、下取付材１５と下取付材１５との中間部分においてもビス止めされたことにより、この撓みは最小限に抑えられ、下フレーム１３の水平方向の直線性が保たれる。
【００２９】
また、鏡１０清掃時や鏡１０周辺の壁面３清掃時に、雑巾等が下フレーム１３に引っ掛かっても、下取付材１５の掛止部１５ｅが下フレーム１３の見え掛り部１３ｃと折り返し部１３ｄとの間に嵌挿されるので、この部分においては見え掛り部１３ｃが前方へ捲れることはなく、その他の部分においても、この固定された部分に引き戻されて大きく捲れることはない。
【００３０】
以上より、下フレームの材料を硬質な金属製ではなく軟質な樹脂製のものを採用しても、上下方向及び前後方向の直線性が保たれて意匠性を損なうことはないので、安価に鏡フレームを作成することができる。
【００３１】
一方、上取付材１６は、図６に示すように、壁面３に取付け固定されるインナー１７と、インナー１７に設けられたガイド部１７ｇ１〜１７ｇ３に案内されて上下方向にのみ摺動して鏡１０を保持するアウター１８と、アウター１８及びインナー１７の間に設けられて下方向にアウター１８を付勢して保持するように保持力が働く線バネ１９との三部品より構成される。
【００３２】
インナー１７は、図６（ａ）に示すように、壁面３に当接する固定部１７ａに設けられたビス孔１７ｂを貫通するようにして、壁面３に取付ビス２０等によって固定されるが、この取付ビス２０を中心に固定部１７ａが回転しないように固定部１７ａの裏面には凸起１７ｃが形成されており、ビス固定することにより、凸起１７ｃは壁面３に圧接されて固定部１７ａの回転を阻止する。
【００３３】
また、インナー１７下部には、鏡１０裏面側に突出するように鏡当接部１７ｄが設けられる。この鏡当接部１７ｄは弾性を有するので、鏡１０を取り付けたときに壁面側へ押圧されると、その反動で鏡１０の裏面を前方に押圧するように付勢する。これにより、鏡１０と上フレーム１４との間に隙間が生じることを防止するとともに、鏡１０の裏面と壁面３との間に水が滞留しないで流れ落ちる隙間が確保される。
【００３４】
さらに、取り付けた鏡１０が横方向にずれないように、鏡当接部１７ｄ端部は、塩ビ等の軟質樹脂材等がコーティングされ、コーティング部１７ｅが形成される。鏡当接部１７ｄには孔１７ｆが穿設され、鏡当接部１７ｄよりコーティング部１７ｅが外れないように、その孔１７ｆに樹脂が流れ込んで表裏一体に連結している。
【００３５】
アウター１８は、インナー１７の左右対称に設けられたガイド部１７ｇ１〜１７ｇ３に案内されるレール部１８ａを左右に設け、両レール部１８ａ，１８ａを連結し、且つ両レール部１８ａ，１８ａ上端から鏡１０側に水平に延出する頂部１８ｂと、この頂部１８ｂ先端よりレール部１８ａ方向に垂下された掛止部１８ｃより構成されている。
【００３６】
そして、インナー１７に設けられたガイド部１７ｇ１及び１７ｇ３は、固定部１７ａより側方に延出してアウター１８の壁面３側の面に当接するのに対し、ガイド部１７ｇ２は、固定部１７ａ側端において鏡１０側に屈曲された後側方に延出しアウター１８の鏡１０側の面に当接する。このようにガイド部１７ｇ１〜１７ｇ３は、交互にレール部１８ａを挟持するようにして案内し、アウター１８が上下方向にのみ可動するように抑制する。
【００３７】
レール部１８ａの下側にはストッパ１８ｄが内方に突出し、このストッパ１８ｄに対向して、インナー１７には、壁面３側に略く字状に屈曲したウイング１７ｈが設けられる。上取付材１６を壁面３に取付け固定する前では、アウター１８をインナー１７に対して押し下げる作動工程において、ウイング１７ｈは壁面３が位置する側へ反って容易にストッパ１５を乗り越えられる。また、アウター１８をインナー１７に対して引き上げるときは、ウイング１７ｈ及び固定部１７ａが反って、ウイング１７ｈがストッパ１８ｄを乗り越えて、アウター１８を容易に引き上げることができる。
【００３８】
これに対し、上取付材１６を壁面３に取付け固定した後、アウター１８を押し下げて鏡１０を取付け保持するが、この押し下げる作動工程においては、壁面３に取付固定する前と同様、ウイング１７ｈが壁面３が位置する側へ反ってウイング１０は容易にストッパ１８ｄを乗り越えられる。しかしながら、引き上げる作動工程においては、壁面３が邪魔して、インナー１７の固定１７ａは壁面側に反ることができず、ストッパ１８ｄと壁面３との間にウイング１７ｈが入り込んで両者は当接し干渉しあい、これにより、アウター１８は容易には持ち上がらず、鏡１０を保持し続ける。
【００３９】
また、頂部１８ｂには、アウター１８が線バネ１９の弾性力によって下方に落下する際に、鏡上端と頂部１８ｂとの衝突力を和らげるように突条１８ｅが設けられる。
【００４０】
線バネ１９は、左右対称の略Ｕ字形状に形成される。線バネ１９中央の固定部１９ａより下方に行くに従い緩やかに拡開して湾曲部１９ｂを形成しており、その両端部には、鉤状のバネストッパ１９ｃが設けられている。線バネ１９の固定部１９ａを頂部１８ｂ若しくはその近傍のレール部１８ａ側のフック１８ｆにて支持し、左右に湾曲している湾曲部１９ｂ，１９ｂはそれぞれバネガイド１７ｉ，１７ｉにより案内され、アウター１８がインナー１７に対して上下方向に摺動するのに合わせて、湾曲部１９ｂがバネガイド１７ｉに案内されてスライドし、且つ線バネ１９の両端部のバネストッパ１９ｃが、バネガイド１７ｉにより係止され、線バネ１９が抜け出すことを防止する。
【００４１】
さらに、この線バネ１９が、バネガイド１７ｉとの摩擦抵抗を小さくして摺動しやすいように、バネガイド１７ｉ端部に第二バネガイド１７ｊを形成している。また、この第二バネガイド１７ｊは、アウター１８の上下摺動時において、レール部１８ａのガイドとしても働く。そして、バネストッパ１９ｃによって、アウター１８を上方に引き上げたときに、引き上げ過ぎて、線バネ１９がバネガイド１７ｉより外れないように、一定の長さ分だけ引き上げられるようにストップされる。なお、線バネ１９の湾曲形状は、アウター１８を引き上げた状態においても、取付ビス２０と干渉しないようにされている。
【００４２】
また、図６（ａ）及び（ｃ）に示すように、アウター１８をインナー１７より上方まで引き上げることにより、線バネ１９の形状が変形して、バネストッパ１９ｃがバネガイド１７ｉの位置にきて、アウター１８が下方に落下しないように保持される。鏡１０を設置後、線バネ１９の弾性力が働く位置まで、アウター１８を指で押し下げてやることにより、バネストッパ１９ｃがバネガイド１８ｉから外れてストッパ機能が解除され、線バネ１９の形状が変形した分、元に戻ろうとする復元力が下方に働き、自動的にアウター１８が鏡１０の上端部に引っ掛かり、鏡１０の取付けが完了する。取付け後は、線バネ１９の弾性力により、アウター１８に必要以上の力を加えない限り、上がらないようになる。また、鏡１０を雑巾などで拭いたときにアウター１８が持ち上がっても、その都度、線バネ１９の弾性力により、元に戻り常に一定の保持状態を保つ。すなわち、線バネ１９の弾性力並びにストッパ１８ｄ及びウイング１０の干渉力により、アウター１８が容易に持ち上がらないように、二重の安全性を確保している。
【００４３】
上フレーム１４は、下フレーム同様ポリプロピレン等の樹脂材から成形され、その縦断面は、図７（ｂ）に示すように、システムバス１から見える見え掛り部１４ａと、見え掛り部１４ａの上端が壁面３側へ鉤状に屈曲し目地材２１が掛合される掛合部１４ｂと、見え掛り部１４ａ上端からやや下がった位置から壁面側へ水平に延出し鏡１０上縁に載置される頂部１４ｃと、この頂部１４ｃの先端から下方へ垂下して鏡裏面と当接する掛止部１４ｄとを備える。ここで、上フレーム１４の見え掛り部１４ａは、意匠性を良くするために下フレーム１３の見え掛り部１３ｃと同じ高さに設定されることが好ましい。また、図７（ａ）及び（ｂ）に示すように、頂部１４ｃの、上取付材１４が配設される位置には、アウター１８の掛止部１８ｃが挿通可能なスリット１４ｅが設けられる。
【００４４】
そして、見え掛り部１４ａは、その裏面と鏡１０表面との間にアウター１８の掛止部１８ｃを挿通させる空間を確保する必要もあって、その下端のみで直接鏡１０表面と当接する。
【００４５】
上フレーム１４は、鏡１０が壁面３に取り付け固定される前に、鏡１０上端に嵌合される。そして、鏡１０が所定に位置にセットされアウター１８が押し下げられると、掛止部１８ｃがスリット１４ｅを挿通して鏡１０が掛止され、取り付け固定される。
【００４６】
そうすると、図３に示したように、上取付材１６の鏡当接部１７ｄの弾性力により、鏡１０は上取付材１６の掛止部１８ｃ側に押圧され当接する。これにより、鏡１０と上フレーム１４との間に隙間が生じることを防止するとともに、鏡１０の裏面と壁面３との間に水が滞留しないで流れ落ちる隙間が確保される。
【００４７】
また、上フレーム１４の頂部１４ｃもアウター１８の頂部１８ｂにより下方へ押圧されるので、上取付材１６の前面においては、見え掛り部１４ａが上方に浮き上がったり、下方に垂れ下がったりすることがない。また、上フレーム１４がない部分においても、見え掛り部１４ａｃの剛下方向の撓みは小さく抑えられ、上フレーム１４の水平方向の直線性が保たれる。
【００４８】
さらに、鏡１０清掃時に雑巾等が上フレーム１４に引っ掛かっても、上フレーム１４の頂部１４ｃがアウター１８の頂部１８ｂにより下方へ押圧されてぃることから、この部分においては見え掛り部１４ａが前方へ捲れることは少なく、その他の部分においても、掛止部１４ｄが鏡１０裏面に当接していることから見え掛り部１４ａの前方への移動量が抑えられること、及びこの固定された部分に引き戻されることから大きく捲れることはない。
【００４９】
以上より、上フレームの材料を硬質な金属製ではなく軟質な樹脂製のものを採用しても、上下方向及び前後方向の直線性が保たれて意匠性を損なうことはないので、安価に鏡フレームを作成することができる。
【００５０】
目地材２１は、図８に示すように、上フレーム１４の頂部１４ｃ上に載置される本体２１ａと、本体の一端から壁面３側へ延出するヒレ２１ｃとから構成される。本体２１ａのヒレが接続する側の端部には、上フレーム１４の掛合部１４ｂと掛合する掛合部２１ｂが形成される一方、本体２１ａの他端、すなわち、壁面３側に位置する端部はその厚さ方向に若干拡開する。目地材２１の本体２１ａは比較的硬度を有し、ヒレ２１ｃは柔軟な材質のサーモポリオレフィン（ＴＰＯ）押出成型品に形成される。
【００５１】
そのため、図３に示したように、鏡１０が壁面３に取付固定された後に、目地材２１の本体２１ａが上フレーム１４の頂部１４ｃ上に載置され、上フレーム１４の掛合部１４ｂと目地材２１の掛合部２１ｂとが掛合すると、すなわち、目地材２１の本体２１ａが壁面３と上フレーム１４の見え掛り部１４ａとの間に挟入されると、目地材２１の本体２１ａも上フレーム１４の頂部１４ｃを抑える役割を果たし、見え掛り部１４ａの浮き上がりや捲り返りを防止するとともに、アウター１８がズレ上がることを防止する。
【００５２】
一方、ヒレ２１ｃの先端部は、壁面３に当接すると柔軟に屈曲し、壁面３との間に隙間を生じないので、鏡１０の裏面に水滴等が回り込むことを防止する。
【００５３】
本実施の形態に係る鏡フレームは上記のように構成されており、以下この鏡フレームを備える鏡の取付手順について図を参照して説明する。図９は、この取付手順を示すフローチャートである。
【００５４】
まず、下取付材１５を壁面３へ取り付ける前に、その掛止部１５ｅを下フレーム１３の見え掛り部１３ｃと折り返し部１３ｄとの間に嵌挿するとともに、下取付材１５の載置部１５ｂが下フレーム１３の載置部１３ｅ上に載置して、下フレーム１３と下取付材１５とを一体に組み合わせる（ステップＳ１）。
【００５５】
また、同様の準備作業として、鏡１０の上端に上フレーム１４を嵌合させて一体に組み合わせる（ステップＳ２）。これは、アウター１８が引き延ばされた状態から押し下げられると、掛止部１８ｃが上フレーム１４のスリット１４ｅを挿通して鏡１０を掛止する、すなわち、アウター１８の載置部１８ｂは上フレーム１４の頂部１４ｃ上に位置することになり、鏡１０取付後では上フレームを取り付けられなくなるからである。
【００５６】
次に、鏡取付け位置を確認して、一体化された下フレーム１３及び下取付材１５を取付ビス２０にて壁面３に固定する（ステップＳ３）。また、下取付材１５，１５の中間位置において下フレーム１３を取付ビス２０にて直接壁面３にビス止めする（ステップＳ４）。これにより、下フレーム１３の支持間隔が短くなるので、見え掛り部１３ｃの浮き上がり、垂れ下がり、捲れ返り等を少なくすることができる。
【００５７】
そして、鏡取付位置を確認して、上取付材１６を壁面に固定する（ステップＳ５）。その後、上取付材１６のアウター１８を引き伸ばし、鏡１０を再度下取付材１５に載せて、図１０（ａ）に示すように、鏡１０を壁面３方向に押しつけながら（ステップＳ６）、図１１（ａ）に示すように、鏡１０上側に取り付けたアウター１８を押し下げて掛止部１８ｃが鏡１０に十分に掛かるように取り付ける（ステップＳ７）。
【００５８】
このように、鏡１０を立て掛けるには、図１０（ｂ）及び図１１（ｂ）に示すように、鏡１０裏面で下取付材１５の鏡当接部１５ｄ及び上取付材１６の鏡当接部１７ｄを押圧するので、下取付材１５の鏡当接部１５ｄ及び上取付材１６の鏡当接部１７ｄの弾性復元力により鏡１０は下フレーム１３の見え掛り部１３ｃ及び上フレーム１４の見え掛り部１４ａ側に押し戻され、見え掛り部１３ｃ及び見え掛り部１４ａと鏡１０表面との間に隙間が生じることなく見栄え良く納めることが出来る一方、鏡１０裏面と壁面３との間に隙間が確保され水が滞留しないので、鏡裏面に水が付着して錆びが発生することを防止できる。
【００５９】
最後に、目地材２１の掛合部２１ｂと上フレーム１４の掛合部１４ｂとを掛合させて目地材を取り付けて（ステップＳ８）、鏡１０の取付け作業を完了する。
【００６０】
以上、上側に設けた上取付材１６は、線バネ１９により、且つストッパ１８ｄとウイング１７ｈとの干渉により、アウター１８が上方に上がることを妨げる働きをする。加えて、上フレーム１４の見え掛り部１４ａ裏面と壁面３との間に挟入された目地材２１の本体が、両者を押し広げる方向の力を及ぼす、すなわち、つっかえ棒的な作用を及ぼす。そのため、鏡１０を拭いたりしたときに、アウター１８を持ち上げてしまう虞がなく、常に安定した状態にて、鏡１０を壁面３に保持することができる。
【００６１】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００６２】
例えば、本実施形態では、一般住宅等で採用されるシステムバスにおいて用いられる場合を例に取って説明したが、このような場合に限られず、住宅の洗面化粧台に用いられてもよく、或いは、ホテルやデパート等パブリックスペースの洗面室に用いてもよい。
【００６３】
また、下取付材１５，１５の中間部分における下フレーム１３の壁面３に対する直接のビス止めも、本実施形態では中央一箇所においてビス止めする場合を示したが、このような場合に限られず、中間部分二箇所或いは三箇所においてビス止めしてもよい。
【図面の簡単な説明】
【００６４】
【図１】本発明に係る鏡フレームを備えるシステムバスの概要を示す図。
【図２】図１に示す鏡周りの正面図。
【図３】図２中のＡ−Ａ矢視図。
【図４】（ａ）は下取付材の正面図、（ｂ）は同側面図。
【図５】本発明に係る下フレームの縦断面図。
【図６】（ａ）はアウターが伸びた状態の上取付材の正面図、（ｂ）は同側面図、（ｃ）はアウターが縮んだ状態の上取付材の正面図、（ｄ）は同側面図。
【図７】（ａ）は本発明に係る上フレームの平面図、（ｂ）は同縦断面図。
【図８】目地材の縦断面図。
【図９】本発明に係る鏡フレームを備える鏡の取付手順を示すフローチャート。
【図１０】（ａ）は下フレーム上に鏡を立設する直前の状態を示す図、（ｂ）は鏡を立設し終えた状態を示す図。
【図１１】（ａ）は上フレームに鏡を立設する直前の状態を示す図、（ｂ）は鏡を立設し終えた状態を示す図。
【符号の説明】
【００６５】
１  システムバス
２  床
３  壁面
４  浴槽
５  天井
６  洗い場水栓
７  シャワー
８  アッパーカウンタ
９  ロアーカウンタ
１０  鏡
１１  ウォールキャビネット
１２  サイドキャビネット
１３  下フレーム
１３ａ  固定部
１３ｂ  底部
１３ｃ  見え掛り部
１３ｄ  折り返し部
１３ｅ  載置部
１４  上フレーム
１５  下取付材
１５ａ  固定部
１５ｂ  載置部
１５ｃ  掛止部
１５ｄ  鏡当接部
１５ｅ，１５ｆ  コーティング部
１５ｇ  孔
１５ｈ  ビス孔
１６  上取付材
１７  インナー
１７ａ  固定部
１７ｂ  ビス孔
１７ｃ  凸起
１７ｄ  鏡当接部
１７ｅ  コーティング部
１７ｆ  孔
１７ｇ１〜１７ｇ３  ガイド部
１７ｈ  ウイング
１７ｉ  バｑネガイド
１７ｊ  第二バネガイド
１８  アウター
１８ａ  レール部
１８ｂ  頂部
１８ｃ  掛止部
１８ｄ  ストッパ
１８ｅ  突条
１８ｆ  フック
１９  線バネ
１９ａ  固定部
１９ｂ  湾曲部
１９ｃ  バネストッパ
２０  取付ビス
２１  目地材
２１ａ  本体
２１ｂ  掛合部
２１ｃ  ヒレ
【図１】
2006094939.tif 000003
【図２】
2006094939.tif 000004
【図３】
2006094939.tif 000005
【図４】
2006094939.tif 000006
【図５】
2006094939.tif 000007
【図６】
2006094939.tif 000008
【図７】
2006094939.tif 000009
【図８】
2006094939.tif 000010
【図９】
2006094939.tif 000011
【図１０】
2006094939.tif 000012
【図１１】
2006094939.tif 000013